(57)【要約】【課題】  木を原料とせず、森林伐採を不要とし、環境破壊の原因を減らすことができる割箸を提供することを目的とする。【解決手段】  プラスチックから成る一対の箸杆１，１を、有する。かつ、箸杆１，１は、夫々の基端部位が、プラスチックから成る切断可能な橋絡部４によって、相互に連結される。また、箸杆１，１は、基端面２に開口した空洞３が、長手方向の中間位置まで、形成されている。そして、この空洞３は、妻楊枝収納空間６を構成している。【選択図】  図１
0003108247.tif 000002
【実用新案登録請求の範囲】
【請求項１】
プラスチックから成る一対の箸杆（１)(１）と、該箸杆（１)(１）の基端部位を切断可能として相互に連結するプラスチックから成る橋絡部（４）とを、具備したことを特徴とする割箸。
【請求項２】
プラスチックから成る一対の箸杆（１)(１）と、該箸杆（１)(１）の基端部位を切断可能として相互に連結するプラスチックから成る橋絡部（４）とを、具備すると共に、上記箸杆（１）は、基端面（２）に開口した空洞（３）が、長手方向の中間位置まで、形成されていることを特徴とする割箸。
【請求項３】
プラスチックから成る一対の箸杆（１)(１）と、該箸杆（１)(１）の基端部位を切断可能として相互に連結するプラスチックから成る橋絡部（４）とを、具備すると共に、上記箸杆（１）は基端面（２）に開口状に空洞（３）が形成されて、妻楊枝収納空間（６）を構成したことを特徴とする割箸。
【請求項４】
プラスチックから成る一対の箸杆（１)(１）と、該箸杆（１)(１）の基端部位を切断可能として相互に連結するプラスチックから成る橋絡部（４）とを、一体成形にて一体状に具備し、
上記橋絡部（４）には、長手方向の切断用切込溝（４ａ）が形成されていることを特徴とする割箸。
【請求項５】
プラスチックから成る一対の箸杆（１)(１）と、該箸杆（１)(１）の基端部位を切断可能として相互に連結するプラスチックから成る橋絡部（４）とを、一体成形にて一体状に具備し、
上記橋絡部（４）には、切断用ミシン目孔（４ｂ）が、長手方向に沿って一列に形成されていることを特徴とする割箸。
【請求項６】
プラスチックから成る一対の箸杆（１)(１）と、該箸杆（１)(１）の基端部位を切断可能として相互に連結するプラスチックから成る橋絡部（４）とを、一体成形にて一体状に具備し、
上記橋絡部（４）は、切断用ミシン目孔（４ｂ）が、長手方向に沿って一列に形成されると共に、先端部に、平面視Ｖ字状切欠部（14）が、形成されたことを特徴とする割箸。
【請求項７】
プラスチックから成る一対の箸杆（１)(１）と、該箸杆（１)(１）の基端部位を切断可能として相互に連結するプラスチックから成る橋絡部（４）とを、具備し、
さらに、上記箸杆（１）の、基端から長手方向中間位置までの横断面形状は、45°回転させた仮想正方形（10）の４角部を所定曲率半径（Ｒ1 ）をもって丸み状とすると共に４辺部を所定曲率半径（Ｒ2 ）をもって弯曲状に凹ませて形成した略十文字形状であることを特徴とする割箸。
【請求項８】
上記箸杆（１)(１）の少なくとも横断面内部（20）が発泡プラスチックから成る請求項１，２，３，４，５，６又は７記載の割箸。
【考案の詳細な説明】
【技術分野】
【０００１】
本考案は、割箸に関するものである。
【背景技術】
【０００２】
従来の割箸として、木を原料とするものがある。
【考案の開示】
【考案が解決しようとする課題】
【０００３】
割箸は、主に使い捨てされ、大量消費されるものなので、木の割箸を作るために、多くの森林が伐採されており、環境破壊の原因の一つとなっている。
また、環境保全のため木製（又は竹製）のものの供給が将来不足する場合も予測されている。
そこで、本考案は、木を原料とせず、森林伐採を不要とし、環境破壊の原因を減らすことができる割箸を提供することを目的とする。
【課題を解決するための手段】
【０００４】
上記の目的を達成するために、本考案に係る割箸は、プラスチックから成る一対の箸杆と、該箸杆の基端部位を切断可能として相互に連結するプラスチックから成る橋絡部とを、具備している。
【０００５】
また、割箸は、プラスチックから成る一対の箸杆と、該箸杆の基端部位を切断可能として相互に連結するプラスチックから成る橋絡部とを、具備すると共に、上記箸杆は、基端面に開口した空洞が、長手方向の中間位置まで、形成されている。
【０００６】
また、割箸は、プラスチックから成る一対の箸杆と、該箸杆の基端部位を切断可能として相互に連結するプラスチックから成る橋絡部とを、具備すると共に、上記箸杆は基端面に開口状に空洞が形成されて、妻楊枝収納空間を構成している。
【０００７】
また、割箸は、プラスチックから成る一対の箸杆と、該箸杆の基端部位を切断可能として相互に連結するプラスチックから成る橋絡部とを、一体成形にて一体状に具備し、上記橋絡部には、長手方向の切断用切込溝が形成されている。
【０００８】
また、割箸は、プラスチックから成る一対の箸杆と、該箸杆の基端部位を切断可能として相互に連結するプラスチックから成る橋絡部とを、一体成形にて一体状に具備し、上記橋絡部には、切断用ミシン目孔が、長手方向に沿って一列に形成されている。
【０００９】
また、割箸は、プラスチックから成る一対の箸杆と、該箸杆の基端部位を切断可能として相互に連結するプラスチックから成る橋絡部とを、一体成形にて一体状に具備し、上記橋絡部は、切断用ミシン目孔が、長手方向に沿って一列に形成されると共に、先端部に、平面視Ｖ字状切欠部が、形成されている。
【００１０】
また、割箸は、プラスチックから成る一対の箸杆と、該箸杆の基端部位を切断可能として相互に連結するプラスチックから成る橋絡部とを、具備し、さらに、上記箸杆の、基端から長手方向中間位置までの横断面形状は、45°回転させた仮想正方形の４角部を所定曲率半径をもって丸み状とすると共に４辺部を所定曲率半径をもって弯曲状に凹ませて形成した略十文字形状である。
さらに、上記箸杆の少なくとも横断面内部が発泡プラスチックから成る。
【考案の効果】
【００１１】
本考案は、次のような著大な効果を奏する。
割箸は、プラスチックから成るので、木を原料とする割箸と違い、原料を調達するために森林の伐採をする必要がなく、環境破壊の原因を減らすことができる。
また、夫々の箸杆は、空洞が長手方向に形成され、妻楊枝収納空間を構成しており、基端面の開口から、妻楊枝を出し入れ自在に収納することができるので、例えば箸袋から割箸を取り出す際に、妻楊枝を誤って落とすことがなくなる。
しかも、空洞が形成されているので、中実状に成形された箸杆に比べて、材料となるプラスチックの使用量を、大幅に減らすことができ、コスト削減と、資源の無駄遣いの防止を、図ることができる。
また、箸杆の横断面形状を、45°回転させた仮想正方形の４角部と４辺部とを夫々所定曲率半径をもってアール状に形成した形状であるので、使用中に折れにくく、しかも、プラスチック材料を節約でき、製造コストも減少させることができる。
【考案を実施するための最良の形態】
【００１２】
以下、実施の形態を示す図面に基づき、本考案を詳説する。
図１，図２及び図３に示すように、本考案に係る割箸は、プラスチック（ＰＰ，ＰＥ等）から成る一対の箸杆１，１を有する。
そして、これらの箸杆１，１の夫々の基端側の側面部位が、長手方向に薄肉細長帯状のプラスチックから成る橋絡部４にて、切断可能として相互に連結されている。
橋絡部４は、箸杆１，１と一体成形され、かつ、橋絡部４には、切断可能とするための切断用切込溝４ａが、長手方向に形成されている。
あるいは、箸杆１，１と橋絡部４とを、夫々個別に、プラスチック成形した後で、箸杆１，１の夫々の基端部位を、橋絡部４で接着して連結して、割箸を形成してもよい。
この割箸は、軽量で使い易く、また、使用中に不意に折れてしまうことがない。
【００１３】
また、夫々の箸杆１は、基端面２に開口した空洞３が、長手方向の中間位置まで、形成されている。
この空洞３は、妻楊枝収納空間６を構成しており、妻楊枝５を、基端面２の開口部から、妻楊枝収納空間６（空洞３）内に出し入れ自在である。
空洞３は、その奥部が箸杆１の長手方向中央部を越えた先端寄りに位置するまで、形成されるのが好ましい。
また、箸杆１は、空洞３により形成される肉厚部の肉厚寸法が、長手方向に対して、略均一となるように形成されるのが、好ましい。
箸杆１は、図１，図３に示すように、横断面視略矩形状（正方形状）に形成されたり、あるいは、図４に示すように、横断面視円形に形成される。
また、箸杆１の先端側表面（あるいは全体表面）を粗面状に形成して、使用の際に挟んだ食べ物が滑り落ちないようにしてもよい。
【００１４】
次に、図５，図６に示す割箸は、図１〜図４と相違して、橋絡部４に、切断用切込溝４ａではなく、切断用ミシン目孔４ｂが、長手方向に沿って一列に形成されていて、割箸を、橋絡部４のミシン目孔４ｂ…により、切断可能である。
さらに、この割箸は、少なくとも、その横断面内部20が、発泡プラスチックから成ると共に（図１〜図４の割箸と相違して）空洞を設けない（中実状の）一対の箸杆１，１を、有し、箸杆１，１の基端部位が、プラスチックから成る橋絡部４で、切断可能として相互に連結されている。この割箸は、軽量で使い易く、また、使用の際に不意に折れてしまうことがない。
【００１５】
次に、図７，図８及び図９に示す割箸は、図５及び図６に示す割箸とは、以下の点で相違する。
即ち、図７，図８及び図９に於て、夫々の箸杆１の、基端から長手方向中間位置までの横断面形状は、（図９に二点鎖線で示す）45°回転させた仮想正方形10の４角部を所定曲率半径Ｒ1 をもって丸み（アール）状とすると共に４辺部を所定曲率半径Ｒ2 をもって弯曲（アール）状に凹ませて形成した十文字形状である。
また、この箸杆１の横断面形状を、言い換えると、四葉のクローバー形状であったり、あるいは、十文字の記号の全ての直角状角部及び直角状曲部を、丸み（アール）状に形成した形状である。
このように形成されることにより、箸杆１は、使用中に折れにくくなり、しかも、製造の手間を減少させることができる。
箸杆１の（既述のように形成された部分以外の）先端部は、横断面円形である。
箸杆１，１は、夫々の弯曲状先端辺部で、橋絡部４により連結されている。さらに、橋絡部４の先端部に、平面視Ｖ字状切欠部14を形成するのが好ましく、この切欠部14により、橋絡部４は、切断する際に、長手方向に裂け易くなる。
また、箸杆１の表面全体を粗面状に形成して、使用の際に滑りにくくしてもよい。
【００１６】
次に、本考案に係る割箸の使用方法について説明する。
図１〜図８に於て、割箸は、未使用の場合、一対の箸杆１，１が橋絡部４で相互に連結されている。そして、図１〜図４に示す割箸は、箸杆１の空洞３に妻楊枝５が収納された状態で、箸入れ袋等に封入される。
そして、使用する際には、橋絡部４を、切断用切込溝４ａ（図１〜図４参照）、又は切断用ミシン目孔４ｂ（図５，図６，図７，図８参照）によって切断して使用するので、橋絡部４で連結された状態の割箸は、未使用状態であることが、一目瞭然となる。
【００１７】
以上のように、本考案に係る割箸は、プラスチックから成る一対の箸杆１，１と、箸杆１，１の基端部位を切断可能として相互に連結するプラスチックから成る橋絡部４とを、具備しているので、木を原料とする割箸と違い、原料を調達するために森林の伐採をする必要がなく、環境破壊の原因を減らすことができ、かつ、原料は安定供給される。
さらに、割箸は、橋絡部４を切断して使用されるので、使用された割箸と、未使用状態の割箸とが、一目瞭然となり、便利である。
【００１８】
また、割箸は、プラスチックから成る一対の箸杆１，１と、箸杆１，１の基端部位を切断可能として相互に連結するプラスチックから成る橋絡部４とを、具備すると共に、箸杆１は、基端面２に開口した空洞３が、長手方向の中間位置まで、形成されているので、木を原料とする割箸と違い、原料を調達するために森林の伐採をする必要がなく、環境破壊の原因を減らすことができ、かつ、原料は安定供給される。
また、箸杆１に、空洞３を長手方向に形成するので、中実状に成形された箸杆に比べて、原料となるプラスチックの使用量を、大幅に減らすことができ、コスト削減と、資源の無駄遣い防止を、図ることができる。
【００１９】
また、割箸は、プラスチックから成る一対の箸杆１，１と、箸杆１，１の基端部位を切断可能として相互に連結するプラスチックから成る橋絡部４とを、具備すると共に、箸杆１は基端面２に開口状に空洞３が形成されて、妻楊枝収納空間６を構成しているので、木を原料とする割箸と違い、原料を調達するために森林の伐採をする必要がなく、環境破壊の原因を減らすことができ、かつ、原料は安定供給される。
また、箸杆１に、空洞３を長手方向に形成するので、中実状に成形された箸杆に比べて、原料となるプラスチックの使用量を、大幅に減らすことができ、コスト削減と、資源の無駄遣い防止を、図ることができる。
しかも、この空洞３に、基端面２の開口から、妻楊枝を出し入れ自在に収納することができるので、箸袋から割箸を取り出す際に、妻楊枝を誤って落とすこともなくなる。
【００２０】
また、割箸は、プラスチックから成る一対の箸杆１，１と、箸杆１，１の基端部位を切断可能として相互に連結するプラスチックから成る橋絡部４とを、一体成形にて一体状に具備し、橋絡部４には、長手方向の切断用切込溝４ａが形成されているので、プラスチックから成る橋絡部４を、容易に切断することができ、使い易い。
かつ、木を原料とする割箸と違い、原料を調達するために森林の伐採をする必要がなく、環境破壊の原因を減らすことができ、かつ、原料は安定供給される。
【００２１】
また、割箸は、プラスチックから成る一対の箸杆１，１と、箸杆１，１の基端部位を切断可能として相互に連結するプラスチックから成る橋絡部４とを、一体成形にて一体状に具備し、橋絡部４には、切断用ミシン目孔４ｂが、長手方向に沿って一列に形成されているので、プラスチックから成る橋絡部４を、容易に切断することができ、使い易い。
かつ、木を原料とする割箸と違い、原料を調達するために森林の伐採をする必要がなく、環境破壊の原因を減らすことができ、かつ、原料は安定供給される。
【００２２】
また、割箸は、プラスチックから成る一対の箸杆１，１と、箸杆１，１の基端部位を切断可能として相互に連結するプラスチックから成る橋絡部４とを、一体成形にて一体状に具備し、橋絡部４は、切断用ミシン目孔４ｂが、長手方向に沿って一列に形成されると共に、先端部に、平面視Ｖ字状切欠部14が、形成されているので、プラスチックから成る橋絡部４が、切欠部14を亀裂始点として裂け易く、容易に切断することができて、使い易い。
かつ、木を原料とする割箸と違い、原料を調達するために森林の伐採をする必要がなく、環境破壊の原因を減らすことができ、かつ、原料は安定供給される。
【００２３】
また、割箸は、プラスチックから成る一対の箸杆１，１と、箸杆１，１の基端部位を切断可能として相互に連結するプラスチックから成る橋絡部４とを、具備し、さらに、箸杆１の、基端から長手方向中間位置までの横断面形状は、45°回転させた仮想正方形10の４角部を所定曲率半径Ｒ1 をもって丸み状とすると共に４辺部を所定曲率半径Ｒ2 をもって弯曲状に凹ませて形成した十文字形状であるので、木を原料とする割箸と違い、原料を調達するために森林の伐採をする必要がなく、環境破壊の原因を減らすことができ、かつ、原料は安定供給される。
また、箸杆１は、横断面が既述のように形成されるので、使用の際に折れにくく、しかも、プラスチック材料が節約でき、製造の手間を減少させられる。
さらに、割箸は、橋絡部４を切断して使用されるので、使用された割箸と、未使用状態の割箸とが、一目瞭然となり、便利である。
【００２４】
また、箸杆１，１の少なくとも横断面内部20が発泡プラスチックから成るので、軽量にすることができ、使い易い。
【図面の簡単な説明】
【００２５】
【図１】本考案に係る割箸の実施の一形態を示す斜視図である。
【図２】平面図である。
【図３】側面図である。
【図４】本考案に係る割箸の他の実施の形態を示す側面図である。
【図５】本考案に係る割箸の別の実施の形態を示す平面図である。
【図６】図５のＡ−Ａ拡大断面図である。
【図７】本考案に係る割箸のさらに別の実施の形態を示す斜視図である。
【図８】要部拡大平面図である。
【図９】説明用要部拡大側面図である。
【符号の説明】
【００２６】
１  箸杆
２  基端面
３  空洞
４  橋絡部
４ａ  切込溝
４ｂ  ミシン目孔
６  収納空間
10  仮想正方形
14  切欠部
20  内部
Ｒ1 ，Ｒ2   所定曲率半径
【図１】
0003108247.tif 000003
【図２】
0003108247.tif 000004
【図３】
0003108247.tif 000005
【図４】
0003108247.tif 000006
【図５】
0003108247.tif 000007
【図６】
0003108247.tif 000008
【図７】
0003108247.tif 000009
【図８】
0003108247.tif 000010
【図９】
0003108247.tif 000011